(57)【要約】      （修正有）【課題】型崩れすることがなく、工具の出し入れが容易な工具差しを提供する。【解決手段】ドライバ１００を収容するための、上端に開口を有する筒状の収容部４と、この筒状の収容部４に接続された、使用者の身体の一部に取り付けるための取付部６とを備えており、ドライバ１００が、本体部１０４とハンドル部１０６とを有しており、収容部４は、ドライバ１００の、ハンドル部１０６を除く少なくとも本体部１０４の一部を収容しうるように構成されており、この収容部４が硬質の合成樹脂から形成されている。【選択図】図１
0003193408.tif 000002
【実用新案登録請求の範囲】
【請求項１】
工具を収容するための、上端に開口を有する筒状の工具収容部と、
この筒状の工具収容部に接続された、使用者の身体の一部に取り付けるための取付部とを備えており、
上記工具が、本体部とハンドル部とを有しており、
上記工具収容部は、工具の、ハンドル部を除く少なくとも本体部の一部を収容しうるように構成されており、
この工具収容部が硬質の合成樹脂から形成されている工具差し。
【請求項２】
上記工具収容部が、取付部接続側の壁部と反取付部接続側の壁部とを含んでおり、
この反取付部接続側の壁部の上記開口位置から上方に向けて、当接壁が立設されている請求項１に記載の工具差し。
【請求項３】
上記当接壁の内面における上端又はその近傍に段差部が形成されており、
この段差部の上方の当接壁の肉厚が下方の当接壁の肉厚より厚くされている請求項２に記載の工具差し。
【請求項４】
上記工具収容部及び取付部の少なくとも一方に、線状物によって収容対象工具と連結するための線状物連結部が形成されている請求項１から３のいずれかに記載の工具差し。
【請求項５】
上記工具収容部が、取付部接続側の壁部と反取付部接続側の壁部とを含んでおり、
上記取付部が、上記取付部接続側の壁部に対して、上記収容部と相互回動可能な状態で接続されている請求項１から４のいずれかに記載の工具差し。
【請求項６】
上記取付部が金属製である請求項１から５のいずれかに記載の工具差し。
【請求項７】
上記工具がビットを備えており、上記工具収容部の底部に、上記ビットが貫通しうる孔が形成されている請求項１から６のいずれかに記載の工具差し。
【考案の詳細な説明】
【技術分野】
【０００１】
本考案は、電動ドライバー、電動ドリル等の工具を収納して保持するための工具差しに関する。
【背景技術】
【０００２】
電動ドライバー、電動ドリル等の工具として、ペン型の工具が知られている。ペン型電動工具は、ピストル型を呈している。ピストル型の工具の中には、その本体部に対して使用者が把持するハンドル部が折り曲がる構造のものが知られている。ピストル状に折り曲げて使用されたり、折り曲げずに一直線上で使用されたりする。工事現場においては、一般的に、使用者はこのような工具を腰に吊して携行する。工具を腰に吊すために、工具差し（ツールフックとも呼ばれる）が用いられることが多い。ペン型工具は、この工具差しの上端の開口から差し入れられて保持される。ペン型工具は、ピストル状に折り曲げられたうえで工具差しに収納されることが多い。この工具差しは、使用者の腰のベルトに係止されて用いられることが多い。
【０００３】
従来、このような工具差しとしては、布又は皮革からループ状又は袋状に形成されたものが多い。この工具差しは型崩れを起こしやすい。型崩れを起こした工具差しは、ペン型工具を抜き取る際に引っ掛かり、抜き取りにくい。また、型崩れを起こした工具差しは、その上端の開口が閉じた状態となりうるため、ペン型工具を差し入れにくい。
【考案の概要】
【考案が解決しようとする課題】
【０００４】
本考案は、かかる現状に鑑みてなされたものである。本考案は、型崩れすることがなく、工具の出し入れが容易な工具差しの提供をその目的としている。
【課題を解決するための手段】
【０００５】
本考案に係るの工具差しは、
工具を収容するための、上端に開口を有する筒状の工具収容部と、
この筒状の工具収容部に接続された、使用者の身体の一部に取り付けるための取付部とを備えており、
上記工具が、本体部とハンドル部とを有しており、
上記工具収容部は、工具の、ハンドル部を除く少なくとも本体部の一部を収容しうるように構成されており、
この工具収容部が硬質の合成樹脂から形成されている。
【０００６】
好ましくは、上記工具収容部が、取付部接続側の壁部と反取付部接続側の壁部とを含んでおり、
この反取付部接続側の壁部の上記開口位置から上方に向けて、当接壁が立設されている。
【０００７】
好ましくは、上記当接壁の内面における上端又はその近傍に段差部が形成されており、
この段差部の上方の当接壁の肉厚が下方の当接壁の肉厚より厚くされている。
【０００８】
好ましくは、上記工具収容部及び取付部の少なくとも一方に、線状物によって収容対象工具と連結するための線状物連結部が形成されている。
【０００９】
好ましくは、上記工具収容部が、取付部接続側の壁部と反取付部接続側の壁部とを含んでおり、
上記取付部が、上記取付部接続側の壁部に対して、上記収容部と相互回動可能な状態で接続されている。
【００１０】
好ましくは、上記取付部が金属製である。
【００１１】
好ましくは、上記工具がビットを備えており、上記工具収容部の底部に、上記ビットが貫通しうる孔が形成されている。
【考案の効果】
【００１２】
この工具差しは、型崩れすることがなく、工具の出し入れが容易である。しかも、この工具差しは、工事現場等において、建造物の壁面と接触することによってこれを損傷するおそれが少ない。
【図面の簡単な説明】
【００１３】
【図１】図１（ａ）は、工具が収容された状態の本考案の一実施形態に係る工具差しを示す斜視図であり、図１（ｂ）は、上記工具を示す斜視図である。
【図２】図２は、図１の工具差しに収容対象工具が収容されている状態を示す一部断面側面図である。
【図３】図３（ａ）は、図１の工具差しを示す正面図であり、図３（ｂ）は、その背面図である。
【考案を実施するための形態】
【００１４】
以下、適宜図面が参照されつつ、好ましい実施形態に基づいて本考案が詳細に説明される。
【００１５】
図１（ａ）には工具差し２が示されている。この工具差し２は、対象の工具を収容するための工具収容部（以下、単に収容部という）４、及び、使用者の身体の一部に取り付けるための取付部６を備えている。収容部４には、電動工具の一種であるペン型電動ドライバ（以下、単にドライバという）１００が収容されている。
【００１６】
図１（ｂ）に示されるように、このドライバ１００は、ドライバビット（以下、単にビットという）１０２、本体部１０４及びハンドル部１０６を備えている。図示のビット１０２は＋型ドライバであるが、−型ドライバ、ドリル等に取り替えることが可能である。本体部１０４には、ビット１０２の回転駆動部等が収納されている。ハンドル部１０６は、本体部１０４に対して傾斜した方向（図中に実線で示す）と、本体部１０４に対して一直線となる方向（図中に二点鎖線で示す）とに揺動可能にされている。このように、ドライバ１００は、ピストル状（図中に実線で示す）にもなり、一直線状（図中に二点鎖線で示す）にもなりうる。
【００１７】
図１（ａ）に示されるように、工具差し２の収容部４は筒状を呈している。本実施形態では、収容部４は四角筒状を呈している。収容部４の底部１４は、先端に向けて細くなる四角錐筒状にされている。収容部４は、四角筒状には限定されず、これ以外の多角筒状、円筒状、長円筒状、多角錐筒状、円錐筒状、長円錐筒状、等でもよい。収容部４は、収容対象である工具の本体の外形に対応した形状にされるのが好ましい。
【００１８】
収容部４は、硬質の合成樹脂から形成されるのが好ましい。硬質合成樹脂からなる収容部４は、工具差しに必要な強度を有し、皮革や布からなる収容部のような型崩れがない。硬質合成樹脂からなる収容部４は、さらに、金属からなる収容部のように現場の建造物の表面等を損傷するおそれがない。この硬質合成樹脂としては、ポリプロピレンが例示される。
【００１９】
収容部４には、ドライバ１００の本体部１０４が収容されている。ハンドル部１０６は、収容部４の上端の開口８から外部に露出している。ハンドル部１０６は、この位置で、本体部１０４に対して折り曲げられている。
【００２０】
収容部４の底部１４の下端には、貫通孔１０が形成されている。収容部４に収容されたドライバ１００のビット１０２は、この貫通孔１０から外部に突出する。このため、収容部４の長さを短くすることができる。底部１４が先端に向けて細くされているので、ドライバ１００の収納時に、ビット１０２は底部１４に引っ掛かりにくく、貫通孔１０から外部にスムーズに突出しうる。
【００２１】
図２も併せて参照すれば明らかなように、収容部４の上端から上方に向けて、当接壁１２が突設されている。収容部４のうち、当接壁１２が突設されているのは、取付部６が接続されている部位とは反対側である。筒状の収容部は、使用者の身体側の壁部と反身体側の壁部とを含む。本実施形態のように角筒状の収容部４では、この身体側壁部４ａと反身体側壁部４ｂとがより明確になる。身体側壁部４ａと反身体側壁部４ｂとは対向している。身体側壁部４ａには、取付部６が接続されている。従って、身体側壁部４ａは、取付部接続側の壁部４ａとも呼べる。反身体側壁部４ｂは、反取付部接続側の壁部４ｂとも呼べる。当接壁１２は、反身体側壁部４ｂの上端から連続一体化して上方へ延在している。当接壁１２は、反身体側壁部４ｂとの一体物には限定されない。反身体側壁部４ｂとは別体の当接壁１２がこの壁部４ｂに取り付けられてもよい。
【００２２】
この当接壁１２は、収容部４内でのドライバ１００の回転を抑制しうる。収容部４の横断面形状は、ドライバ１００の本体部１０４の横断面形状の略相似形にされることが多い。収容部４の横断面形状は、本体部１０４の横断面形状より大きくされる。従って、当接壁１２が無い場合、ドライバ１００は、外力によって、収容部４の内部において本体部１０４の軸回りに回転してしまうおそれがある。そうすると、ピストル状に折り曲げられているハンドル部１０６が振れ回り、使用者の腕、建造物等の外部の物体に当接したり引っ掛かったりする事態も生じうる。この工具差し２には当接壁１２が形成されている。本体部１０４又はハンドル部１０６が回転しようとしても、当接壁１２に当接し、その回転が阻止される。このようにして、上記引っ掛かり等の問題が回避されうる。
【００２３】
当接壁１２の形状は限定されない。本実施形態における当接壁１２は、図１及び図３に示されるように、長方形の板状にされている。小さい面積で効率良くハンドルの回転を阻止しうる点で、長方形が好ましい。
【００２４】
図１及び図２に示されるように、この当接壁１２の内面における上端近傍には、段差１６が形成されている。上記内面とは、当接壁１２の身体側の面、すなわち、取付部６に対向した面である。この段差１６は、横方向、すなわち収容部４の長手方向に垂直な方向、に延びている。この段差１６は、その位置より上方の当接壁１２の肉厚が、その位置より下方の肉厚より厚くされることにより形成されている。ドライバ１００は、収容部４から抜け落ちようとしたとき、その側面の角部１０８等が上記段差１６に係止することにより、抜け落ちが防止されうる。図示しないが、横方向に延びる凸条も、上記段差１６の一種である。この凸条も、図１及び図２に示される形状の段差１６と同様の抜け落ち防止作用を奏しうる。
【００２５】
図１から図３に示されるように、取付部６は、固定部１８と係止部２０とを有している。固定部１８は、収容部４に固定される部分である。係止部２０は、使用者の衣服等に係止されうる部分である。固定部１８と係止部２０とは、ピン２２によって相互回動自在に連結されている。固定部１８及び係止部２０はともに、耐久性向上の観点から金属板から形成されている。特に金属製には限定されないが、取付部６は、強度を要する部分であるため、金属製が好ましい。取付部６は、通常は使用者の身体に密着するので、金属製にしても、現場の建造物の表面等を損傷するおそれがない。固定部１８は一枚の板状を呈している。係止部２０はループ状を呈している。このループの内部には、例えば、使用者の腰のベルト１１０等が挿通されうる。固定部１８及び係止部２０は、互いにそれらの面が略平行である。係止部２０は、特にループ状には限定されない。例えば、間隔の小さい逆Ｕ字状のフックであってもよい。しかし、使用者の身体への確実な取付の観点から、ループ状が好ましい。
【００２６】
図１及び図２に示されるように、収容部４の上端から上方に向けて、上記取付部６を接続するための接続壁２４が突設されている。この接続壁２４は、収容部４の身体側壁部４ａの上端に、上記当接壁１２と対向するように突設されている。この接続壁２４には袋部２６が形成されている。袋部２６には、上記取付部６の固定部１８が挿入された上で固定される。この袋部２６は、その上端が開口されている。固定部１８が、この上端の開口から挿入され、固定ピンによって接続壁２４に固定される。この状態で、係止部２０に使用者のベルト１１０が挿通され、ベルト１１０が締め付けられると、工具差し２が使用者の身体に取り付けられる。収容部４の上端に接続壁２４を突設することには限定されない。たとえば、接続壁２４を突設することなく、収容部４の身体側壁部４ａの身体側の面に、上記袋部２６が形成されてもよい。
【００２７】
図３（ａ）に二点鎖線で示されるように、工具差し２が使用者の身体に取り付けられた状態において、その収容部４は、外力によって、取付部６に対して回動（揺動）可能となる。収容部４は、外力により、使用者の身体に対して回動（揺動）可能となる。従って、収容部４に対して外力が加わった場合でも、工具差し２及び使用者のベルト１１０に対して過剰な力が負荷されることが防止されうる。また、本実施形態では、収容部４の回動方向は、身体側壁部４ａとほぼ同一の面内となる。従って、収容部４が使用者の身体から大きく離間することはない。上記固定部１８を収納部４に固定する構造としては、上記袋部２６には限定されない。袋部２６のような特別なものは形成されず、固定部１８が収容部４の身体側壁部４ａ又は接続壁２４に対して直接にピン止め等されていてもよい。
【００２８】
図１及び図２に示されるように、工具差し２とドライバ１００とは、ワイヤ２８等の線状物によって連結されているのが好ましい。ドライバ１００は、工具差し２と連結されることにより、不用意な落下が防止されうる。線状物は、ワイヤに限定されることはなく、チェーン、ロープ等であってもよい。しかし、軽重量、小体積等の観点から、ワイヤ２８が好ましい。
【００２９】
上記接続壁２４の上端の隅部に、線状物用連結部としての貫通孔３０が形成されている。この貫通孔３０には、上記ワイヤ２８が連結される。ワイヤ２８等の線状物の連結のためには、貫通孔３０に限定されず、例えばリング部材、突起等が取り付けられていてもよい。また、これら貫通孔３０、リング部材、突起等の形成部位は、特に接続壁２４の上端の隅部には限定されない。これらの形成部位は、収容部４のいずれの部位であってもよく、取付部６のいずれの部位であってもよい。
【産業上の利用可能性】
【００３０】
以上説明された実施形態では、工具差しの収容対象としてドライバが例示された。しかし、ドライバには限定されない。本考案に係る工具差しは、電動ドリル等にも適用可能である。
【符号の説明】
【００３１】
２・・・工具差し
４・・・収容部
６・・・取付部
８・・・開口
１０・・・貫通孔
１２・・・当接壁
１４・・・（収容部の）底部
１６・・・段差
１８・・・固定部
２０・・・係止部
２２・・・ピン
２４・・・接続壁
２６・・・袋部
２８・・・ワイヤ
３０・・・貫通孔
１００・・・ドライバ
１０２・・・ビット
１０４・・・本体部
１０６・・・ハンドル部
１０８・・・角部
１１０・・・ベルト
【図１】
0003193408.tif 000003
【図２】
0003193408.tif 000004
【図３】
0003193408.tif 000005